(57)【特許請求の範囲】
【請求項１】
両端に電極用端子を有する発光管と、前記発光管が発したストロボ光を被写体側に反射させる反射傘と、前記反射傘の前面側を覆うと共にストロボ光を透過する透過窓と、前記反射傘の背面側を覆う反射傘被覆部材と、前記発光管に発光のためのトリガ信号を与えるワイヤ部材よりなるトリガ接続導体と、少なくともトリガコイルを搭載したストロボ基板と、を備え、
前記トリガ接続導体の先端部を前記反射傘被覆部材に設けた挿通孔から挿通して前記トリガ接続導体に設けた屈曲部を前記挿通孔の側壁面に当接させ、且つ前記屈曲部に対して前記トリガ接続導体の中央部側に位置する直線部を前記反射傘被覆部材の裏面に設けた長溝に当接させることにより、前記トリガ接続導体の先端部を前記発光管の外周面に弾性接触させて前記トリガ接続導体を前記発光管と前記反射傘被覆部材とで保持し、前記トリガ接続導体の後端部を前記トリガコイルの端子に半田付けしたことを特徴とするストロボ装置。
【発明の詳細な説明】
【０００１】
【発明の属する技術分野】
本発明は、ストロボ装置に関する。
【０００２】
【従来の技術】
図１４は、従来のレンズ付きフィルムユニットに組み込まれるストロボ装置における発光部ユニットのストロボ発光管の取付構造を説明するための説明図であって、同図（ａ）は同発光部ユニットのストロボ発光管を中心とした同ストロボ発光管の取付け部周辺の平面図、同図（ｂ）は同ストロボ発光管の左側の部分拡大図、同図（ｃ）は同図（ｂ）のＳ−Ｓ矢視図である。
【０００３】
図１４において、１０１はキセノン放電管からなるストロボ発光管１０２を受け面１０３，１０４により受けて保持し、ストロボ発光管１０２を位置決め面１０５，１０６により受けて位置決めをする面を有する発光部ユニット１０７に設けられた放電管受けである。
【０００４】
そして、ストロボ発光管１０２は受け面１０３，１０４を圧し広げるように、反射傘１０８によって放電管受け１０１方向に押圧されている。したがって、ストロボ発光管１０２と反射傘１０８とは図１４に示すように、Ｒ面で密着している。
【０００５】
また、発光部ユニット１０７には、ストロボ発光管１０２の放電管端子１０９，１１０と導通する帯状の接片１１１，１１２が設けられていて、半田付け部１１３のように両者は半田付けされる構成となっている。
【０００６】
【発明が解決しようとする課題】
しかしながら、上述したストロボ装置においては、発光部ユニット１０７の長手方向の寸法を決めるストロボ発光管１０２の取付け部を含めた長手方向寸法は、位置決め面１０５，１０６と放電管受け１０１の端面との間の厚さｔ1 と、放電管受け１０１の端面と接片１１１，１１２との間の間隙ｔ2 とを加えた寸法余裕（ｔ1 ＋ｔ2 ）はどうしても必要である。
【０００７】
すなわち、放電管受け１０１は通常樹脂による成形部材であり、放電管受け１０１の一部である厚さｔ1 は強度上所定の寸法が必要であり、また、間隙ｔ2 は半田付けによる熱で、放電管受け１０１の端部が溶けないようにするために、所定の寸法が必要である。
【０００８】
発光部ユニット１０７の小型化のためには、発光部ユニット１０７の長手方向の寸法を少しでも短くすることが重要であるにもかかわらず、放電管受け１０１の配設に伴う上記寸法余裕が小型化の妨げになるという問題があった。
【０００９】
また、接片１１１，１１２は帯状部材であって、このためスペースを必要とするのみならず、材料費等もかさみ、さらに小型化及び低コスト化の妨げとなるという問題があった。
【００１０】
そこで、本発明は、低コストで容易に小型化が可能なストロボ装置を提供することを目的とする。
【００１６】
【課題を解決するための手段】
上記課題を解決するために、請求項１に記載の発明は、両端に電極用端子を有する発光管と、前記発光管が発したストロボ光を被写体側に反射させる反射傘と、前記反射傘の前面側を覆うと共にストロボ光を透過する透過窓と、前記反射傘の背面側を覆う反射傘被覆部材と、前記発光管に発光のためのトリガ信号を与えるワイヤ部材よりなるトリガ接続導体と、少なくともトリガコイルを搭載したストロボ基板と、を備え、前記トリガ接続導体の先端部を前記反射傘被覆部材に設けた挿通孔から挿通して前記トリガ接続導体に設けた屈曲部を前記挿通孔の側壁面に当接させ、且つ前記屈曲部に対して前記トリガ接続導体の中央部側に位置する直線部を前記反射傘被覆部材の裏面に設けた長溝に当接させることにより、前記トリガ接続導体の先端部を前記発光管の外周面に弾性接触させて前記トリガ接続導体を前記発光管と前記反射傘被覆部材とで保持し、前記トリガ接続導体の後端部を前記トリガコイルの端子に半田付けしたことを特徴とする。
【００１８】
【発明の実施の形態】
以下、本発明の実施の形態を図面を参照して詳細に説明する。
【００１９】
実施の形態１．
図１は本発明の実施の形態１に係るレンズ付きフィルムユニットの構成を示す分解斜視図、図２は本実施の形態１によるストロボ装置を構成する発光部ユニットを正面側から見た斜視図、図３は同発光部ユニットを背面側から見た斜視図、図４は同発光部ユニットを分解して正面側から見た分解斜視図、図５は同発光部ユニットを分解して背面側から見た分解斜視図、図６は同発光部ユニットを透過窓部を除いた状態で示す斜視図、図７は同発光部ユニットを構成するストロボ発光管が反射傘によって保持され、かつ、トリガ電極用の接続導体が接続された状態を示す斜視図、図８は同トリガ電極用の接続導体の取付方法を説明するための説明図、図９及び図１０は同ストロボ装置の構成を示す同発光部ユニットの正面側から見た斜視図、また、図１１、図１２及び図１３は同ストロボ装置の構成を示す同発光部ユニットの背面側から見た斜視図である。
【００２０】
この実施の形態１に係るレンズ付きフィルムユニット１は、予め写真フィルムが装填された状態で市販に供される簡易なカメラであり、写真フィルムがカメラの組立工程で装填され、ユーザの写真フィルムの装填や巻戻し等の操作が不要になり、ユーザは直ちに撮影操作を実行できるように構成されている。
【００２１】
このレンズ付きフィルムユニット１は、図１に示すように、前カバー２と後カバー３とを組み付ける構成であり、前カバー２の前側中央には撮影レンズ孔４ａが設けられ、この撮影レンズ孔４ａの上方位置にはファインダ枠５ａ、対物レンズ５ｂ、接視レンズ５ｃからなるファインダ５が設けられ、ファインダ５の近傍にはストロボ発光窓枠６が設けられている。
【００２２】
ストロボ発光窓枠６の下方には、切換レバーであるストロボレバースイッチ７が設けられ、このストロボレバースイッチ７は後述するストロボ装置３０を使用状態と未使用状態とに切り換えるようになっている。
【００２３】
レンズ付きフィルムユニット１の右側部には、グリップ部８が設けられ、グリップ部８の上部にはレリーズボタン９が設けられている。
【００２４】
このレンズ付きフィルムユニット１の前カバー２と後カバー３とに挟まれた内部には、図１に示すように、本体１０が設けられている。
【００２５】
本体１０の中央には、撮影枠１０ａが設けられ、この撮影枠１０ａを挟んで一方にフィルム収納室１０ｂが、他方に巻上室１０ｃが設けられている。
【００２６】
本体１０の上部にはボス１０ｄが設けられ、このボス１０ｄにはセクタ１１を駆動するセクタレバー１２が回動可能に取り付けられている。このセクタレバー１２の係止部１２ａと、本体１０の係突起１０ｅとの間にバネ１３が設けられ、このバネ１３によりセクタレバー１２は常に閉じる方向に付勢されている。
【００２７】
セクタレバー１２のボス１２ｂはセクタ１１のＵ字溝１１ａに係合し、セクタレバー１２の動きをセクタ１１に伝達している。
【００２８】
セクタレバー１２は、本体１０に組み付けられたレリーズ機構１４によって回動し、このレリーズ機構１４は、レリーズボタン９によって作動するようになっている。
【００２９】
本体１０の撮影枠１０ａの前側には、スペーサ１５が設けられ、このスペーサ１５の前側にはレンズ受け１６が爪部１６ａをスペーサ１５の凹部１５ａに係合して設けられている。スペーサ１５には露光窓１５ｂが形成され、このスペーサ１５とレンズ受け１６との間にセクタ１１が配置されている。
【００３０】
セクタ１１は、その孔１１ｂをスペーサ１５のボス１５ｃに挿通し、セクタレバー１２により作動し、露光窓１５ｂを解放可能になっている。
【００３１】
上記レンズ受け１６において、レンズ取付部１６ｂには撮影レンズ４が組み付けられ、この撮影レンズ４に対応する位置に露光孔１６ｃが形成されている。
【００３２】
レンズ受け１６には、絞り板１７がセットされている。絞り板１７には絞り孔１７ａが形成され、この絞り板１７に形成された取付孔１７ｂをスペーサ１５に設けたボスに嵌合することによって、このスペーサ１５により、絞り板１７を回動可能に支持している。
【００３３】
絞り板１７には、長孔１７ｃが形成され、この長孔１７ｃにはスライドレバー１８の凸部１８ａが係合され、さらに、スライドレバー１８にはストッパ部１８ｂが形成されている。
【００３４】
また、スライドレバー１８には、ストロボスイッチレバー７が係合している。
【００３５】
なお、図１中、４ｂはレンズ押えである。
【００３６】
ストロボ装置３０は、図１に示すように、発光部ユニット（フラッシュ発光器）４０がストロボ基板５０に取り付けられてなり、この状態で本体１０と前カバー２とに挟まれて組み込まれている。
【００３７】
発光部ユニット４０は、図２乃至図１３に示すように、ストロボ発光管（発光管）４１と、ストロボ収納部４２と、反射傘４３と、ストロボ発光管４１の一方の電極棒（電極用端子）に導通する接続導体４４と、トリガ電極用の接続導体４５と、ストロボ光を透過する透過窓部４６とを備えている。
【００３８】
ストロボ発光管４１は、例えば、直管状に形成されたキセノンランプからなり、発光管本体４１１の両端部には、電極棒４１１ａ，４１１ｂが取り付けられている。
【００３９】
ストロボ収納部４２は、前面側に開口部を有する略箱型状に構成され、内部にストロボ発光管４１や反射傘４３が収納され、両側の側壁部には、ストロボ発光管４１が挿通される挿通孔４２ａ，４２ｂが形成され、また、裏面側には、接続導体４５の先端部を挿通する挿通孔４２ｃと、その中央部側の直線部を案内し埋め込む溝部４２ｄとが形成され、かつ、挿通孔４２ａ近傍には接続導体４４の先端部が嵌合孔４２１ａに嵌め込まれることによって接続導体４４を保持し固定する導体保持部４２１が設けられ、また、接続導体４４の中間部を保持し補強する導体保持部４２２，４２３，４２４を備え、さらに、発光部ユニット４０をストロボ基板５０に取り付けるための位置決めピン４２５や係止爪４２６を有している。
【００４０】
ここで、導体保持部４２２は、溝部に接続導体４４を挟み込むことによって、接続導体４４を上下方向に位置決めすると共に固定する。
【００４１】
また、導体保持部４２３は抜止め用の爪部を有し、接続導体４４を係止して前後方向に位置決めすると共に固定する。
【００４２】
また、導体保持部４２４は、溝部に接続導体４４を挟み込むことによって、接続導体４４を左右方向に位置決めすると共に固定する。
【００４３】
反射傘４３は、ストロボ光を前方に向けて反射する放物反射面を内面に形成した反射部４３ａを有し、両側壁部には、ストロボ収納部４２に取り付けるための突片４３１，４３１，４３２，４３２と、ストロボ発光管４１が挿通される挿通部４３ｂ，４３ｃとが設けられている。
【００４４】
接続導体４４，４５は、共に所定の剛性を有する例えば燐青銅製のワイヤ部材が所定の形状に屈曲成形されてなり、それぞれ例えば略０．６mm〜１．０mm、略０．３mm〜０．５mmの径を有している。
【００４５】
接続導体４４は、先端部４４ａが嵌合孔４２１ａに嵌め込まれて保持され、また、先端部近傍において、ストロボ発光管４１の一方側の端面４１ａに当接してストロボ発光管４１の長手方向の位置決めをするための部位と、電極棒４１１ａに発光部ユニット４０の裏面側から接触して電気的に接続するための部位とを有する位置決め部４４ｂを備えている。
【００４６】
接続導体４５は、図７及び図８に示すように、先端部４５ａにおいて、発光管本体４１１の外周面の所定の部位に圧接状態で接触している。また、屈曲部４５ｂの角部近傍は挿通孔４２ｃの側壁面に、屈曲部４５ｂの中央部側の直線部４５ｃは溝部４２ｄの壁面に、それぞれ、押し当てられている。
【００４７】
なお、図８において、接続導体４５がストロボ収納部４２の裏面の壁部に埋め込まれた領域については、接続導体４５の配設経路に沿って切断した状態で図示している。
【００４８】
ここで、取付完了時に、接続導体４５の屈曲部４５ｂの角部近傍が挿通孔４２ｃの側壁面に押し当てられることによって、先端部４５ａが発光管本体４１１外周面の所定の部位に強く圧接されるように部材の寸法形状が設定されている。
【００４９】
透過窓部４６は、透過板４６１と、この透過板４６１の両側端部から裏面側に配設された櫛状の保持部４６２，４６２とを備え、各保持部４６２は、ストロボ発光管４１を反射傘４３の反射部４３ａの底面との間でストロボ発光管４１を挟んで弾性的に押さえることによって、ストロボ発光管４１を保持し前後方向に位置決めして固定する挟持受部４６２ａと、ストロボ収納部４２の両側部に設けられた凸部４２６ａ，４２６ｂに係止されることによって透過窓部４６をストロボ収納部４２に取り付けるための係止爪部４６２ｂとを有している。
【００５０】
ストロボ基板５０は、コンデンサ５１、発振トランス５２、トリガコイル５３等の回路部品が回路パターンに接続され搭載されている。また、ストロボ基板５０の所定の箇所には、ストロボ発光管４１の電極棒４１１ｂを受けて保持すると共に接触して電気的に接続するための接続片５４と、位置決めピン４２５が嵌め込まれる嵌合孔５０ａと、接続導体４４の後端部を挿入するための挿入孔５０ｂとが設けられている。
【００５１】
発光部ユニット４０を組み立てるには、図４及び図５に示すように、まず、反射傘４３の各突片４３１，４３２を対応するストロボ収納部４２の各切欠部４２ｅ，４２ｆに嵌め込むようにして、ストロボ収納部４２内に反射傘４３を収納する。
【００５２】
次に、接続導体４４の先端部４４ａを導体保持部４２１の嵌合孔４２１ａに嵌め込み、かつ、中間部を導体保持部４２２，４２３，４２４によって保持させて、接続導体４４を固定する。
【００５３】
ここで、接続導体４４は、先端部において、導体保持部４２１によって固定され、また、中間部においては、導体保持部４２２，４２３，４２４によって、それぞれ、上下方向、前後方向、左右方向に位置決めされ固定される。
【００５４】
次に、ストロボ発光管４１を、挿通孔４２ｂ側から挿通してストロボ収納部４２内に収納する。すなわち、挿通孔４２ｂ、挿通部４３ｃ、挿通部４３ｂ、挿通孔４２ａと順に通していき、端面４１ａに、予め配設されている接続導体４４の位置決め部４４ｂを当接させてストロボ発光管４１の長手方向の位置決めをする。この端面４１ａに接続導体４４が当接した状態で、電極棒４１１ａは接続導体４４に接触する。
【００５５】
次に、透過窓部４６をストロボ収納部４２に取り付け、挟持受部４６２ａ，４６２ａを拡開させながら挟み付けるようにして発光管本体４１１の両端部を押し付け、さらに反射傘４３の反射部４３ａの底面との間でストロボ発光管４１を挟んで弾性的に押しつける。これにより、ストロボ発光管４１は前後方向に位置決めされ、固定されることとなる。
【００５６】
ここで、透過窓部４６は係止爪部４６２ｂ，４６２ｂが凸部４２６ａ，４２６ｂに、係止爪部４６２ｃが凸部４２６ｃに、それぞれ係止されることによって固定される。
【００５７】
次に、接続導体４５の取付けは、先端部４５ａを挿通孔４２ｃから挿通し、直線部４５ｃを溝部４２ｄに埋め込むようにして、ストロボ収納部４２に裏面側から取り付ける。この際、屈曲部４５ｂの角部近傍は挿通孔４２ｃの側壁面に、屈曲部４５ｂの中央部側の直線部４５ｃは溝部４２ｄの壁面に、それぞれ、押し当てた状態で、先端部４５ａを発光管本体４１１外周面の所定の部位に接触させるようにする。
【００５８】
これにより接続導体４５が固定されると共に、屈曲部４５ｂの角部近傍が挿通孔４２ｃの側壁面に押し当てられることによって、先端部４５ａが発光管本体４１１外周面の所定の部位に弾性的に圧接される。
【００５９】
そして、電極棒４１１ａに接続導体４４を上記位置決め部４４ｂの所定の部位において半田付けし電気的に接続する。
【００６０】
この後、こうして作成された発光部ユニット４０をストロボ基板５０に取り付ける。まず、位置決めピン４２５をストロボ基板５０の嵌合孔５０ａに嵌め込むと共に、係止爪４２６によって係止することで、発光部ユニット４０をストロボ基板５０に固定する。
【００６１】
そして、接続導体４４の後端部をストロボ基板５０の挿入孔５０ｂに差し込んだ後、裏面の配線パターンに半田付けして、電気的に接続する。また、電極棒４１１ｂは接続片５４によって保持させた上で半田付けして、直接ストロボ基板５０に電気的に接続する。さらに、接続導体４５の後端部をトリガコイル５３の端子５３ａに半田付けして電気的に接続する。
【００６２】
これにより組立てが完了したストロボ装置３０は、図１に示すように組み込まれる。
【００６３】
以上説明したように、本実施の形態１によれば、従来の位置決め用の樹脂製の放電管受けを廃し、接続導体４４に、位置決めの機能を兼ねさせたので、部品数の削減によりコストを低減することができ、かつ、発光部ユニットの長手方向の寸法を短くできるのでストロボ装置の小型化を図ることができる。
【００６４】
また、ストロボ収納部４２に設けられた導体保持部４２１によって、接続導体４４の先端部を確実に保持固定し、導体保持部４２２，４２３，４２４によって、接続導体４４の中間部を、それぞれ、上下方向、前後方向、左右方向に位置決めし、確実に保持固定しているので、ワイヤ部材からなる接続導体４４は、予め設定された位置で確実にかつ強度が保たれた状態で固定される。
【００６５】
この状態で、接続導体４４の位置決め部４４ｂが、ストロボ発光管４１の一方側の端面４１ａに当接することにより、ストロボ発光管４１の長手方向の位置決めを正確かつ確実に行うことができる。このように長手方向に位置決めされた状態で、ストロボ発光管４１は透過窓部４６の保持部４６２，４６２によって、前後方向にも位置決めされ強固に固定される。
【００６６】
また、端面４１ａに接続導体４４が当接した状態で、電極棒４１１ａは接続導体４４に接触するようになっているので、半田付けにより確実に接続することができ、かつ、ストロボ発光管４１は保持部４６２，４６２によって強固に固定され、接続導体４４も確実に強く固定されるので、堅固な接続状態が保たれる。
【００６７】
また、接続導体４５が取り付けられた状態では、先端部４５ａは発光管本体４１１外周面の所定の部位に、屈曲部４５ｂの角部近傍は挿通孔４２ｃの側壁面に、屈曲部４５ｂの中央部側の直線部４５ｃは溝部４２ｄの壁面に、それぞれ、押し当てられているので、接続導体４５は、どの方向から外力が加えられても動揺することなく確実に固定される。
【００６８】
また、接続導体４５は、屈曲部４５ｂの角部近傍が挿通孔４２ｃの側壁面に押し当てられることによって、先端部４５ａが発光管本体４１１外周面の所定の部位に弾性的に圧接されるので、確実にトリガをかけることができる。
【００６９】
しかも、接続導体４４，４５は共にワイヤ部材からなっているので、材料費及び加工費を抑えることができ、かつ、配設の際にわずかなスペースしか要しないので、一段とストロボ装置の小型化を図ることができる。
【００７０】
また、位置決め用の樹脂製の放電管受けを廃し、半田付けの際に樹脂製の部材に熱が加えられ難い構造としたので、半田付けの際の作業ミスによる部品溶解等の損傷の発生を未然に防止することができる。
【００７１】
以上、本発明の実施の形態を詳述してきたが、具体的な構成はこの実施の形態に限られるものではない。
【００７２】
例えば、上述した実施の形態１では、ストロボ発光管４１の一方の電極棒４１１ａのみにワイヤ部材からなる接続導体４４を接続して、この接続導体４４でストロボ発光管４１の長手方向の位置決めを行うように構成する場合について述べたが、両方の電極棒４１１ａ，４１１ｂにワイヤ部材からなる接続導体を接続するようにしても良い。
【００７８】
【発明の効果】
請求項１の発明によれば、トリガ接続導体を確実に固定できると共に、トリガ接続導体はワイヤ部材よりなっているので、一段と低コストであり、かつ、小型化を図ることができるストロボ装置を提供することができる。
【図面の簡単な説明】
【図１】本発明の実施の形態１に係るレンズ付きフィルムユニットの構成を示す分解斜視図である。
【図２】本実施の形態１によるストロボ装置を構成する発光部ユニットを正面側から見た斜視図である。
【図３】同発光部ユニットを背面側から見た斜視図である。
【図４】同発光部ユニットを分解して正面側から見た分解斜視図である。
【図５】同発光部ユニットを分解して背面側から見た分解斜視図である。
【図６】同発光部ユニットを透過窓部を除いた状態で示す斜視図である。
【図７】同発光部ユニットを構成するストロボ発光管が反射傘によって保持され、かつ、トリガ電極用の接続導体が接続された状態を示す斜視図である。
【図８】同トリガ電極用の接続導体の取付方法を説明するための説明図である。
【図９】同ストロボ装置の構成を示す同発光部ユニットの正面側から見た斜視図である。
【図１０】同ストロボ装置の構成を示す同発光部ユニットの正面側から見た斜視図である。
【図１１】同ストロボ装置の構成を示す同発光部ユニットの背面側から見た斜視図である。
【図１２】同ストロボ装置の構成を示す同発光部ユニットの背面側から見た斜視図である。
【図１３】同ストロボ装置の構成を示す同発光部ユニットの背面側から見た斜視図である。
【図１４】従来のレンズ付きフィルムユニットに組み込まれるストロボ装置における発光部ユニットのストロボ発光管の取付構造を説明するための説明図であって、同図（ａ）は同発光部ユニットのストロボ発光管を中心とした同ストロボ発光管の取付け部周辺の正面図、同図（ｂ）は同ストロボ発光管の左側の部分拡大図、同図（ｃ）は同図（ｂ）のＳ−Ｓ矢視図である。
【符号の説明】
１  レンズ付きフィルムユニット
３０  ストロボ装置
４０  発光部ユニット（フラッシュ発光器）
４１  ストロボ発光管（発光管）
４１１ａ，４１１ｂ  電極棒（電極用端子）
４２  ストロボ収納部（反射傘被覆部材）
４２１  導体保持部（穴）
４２２  導体保持部（溝）
４２３  導体保持部（抜止め部）
４２４  導体保持部（溝）
４３  反射傘
４４  接続導体
４５  接続導体（トリガ接続導体）
４６  透過窓部（透過窓）
【図１】
0003692803.tif 000002
【図２】
0003692803.tif 000003
【図３】
0003692803.tif 000004
【図４】
0003692803.tif 000005
【図５】
0003692803.tif 000006
【図６】
0003692803.tif 000007
【図７】
0003692803.tif 000008
【図８】
0003692803.tif 000009
【図９】
0003692803.tif 000010
【図１０】
0003692803.tif 000011
【図１１】
0003692803.tif 000012
【図１２】
0003692803.tif 000013
【図１３】
0003692803.tif 000014
【図１４】
0003692803.tif 000015